(57)【要約】　　　（修正有）【課題】２つ以上の画像を適宜変化させて表示する事により、昼夜を問わず、外部の注意を十分に惹くことができ、観察者が認識可能であるどの位置から観察しても同じ画像が確認でき、電気幹線への接続が不要で、映し出すメッセージの交換が容易で、薄型で、かつ安価な表示装置を提供することを目的とする。【解決手段】光の透過部と遮断部を有する平坦な透過板２を２つ以上の画像情報を持つ平坦な記号キャリア１に対し水平に密着して取付け、透過板２とキャリア１が相対的に変位できるように手動式もしくは電池式ＤＣ駆動手段を保持し、キャリア１の後部に面発光源１０を備えた表示装置を提供する。【選択図】図１２
2004012475.tif 000002
【特許請求の範囲】
【請求項１】
２つ以上の画像を適宜変化させて表示するための表示装置であり、
（ａ）　光の透過部と遮断部を有する平坦な透過板と
（ｂ）　前記透過板に密着して配置されている２つ以上の画像情報を持つ平坦な記号キャリアと
（ｃ）　前記透過板と前記記号キャリアを相対的に変位させるための駆動手段
から構成されていることを特徴とする表示装置。
【請求項２】
前記装置は着脱可能な手段を備えたことを特徴とする請求項１に記載の表示装置。
【請求項３】
前記装置は、２つ以上の画像情報から表示する画像を選択する手段を設けたスイッチを備えたことを特徴とする請求項１又は２に記載の表示装置。
【請求項４】
前記スイッチが、感知センサーであることを特徴とする請求項３に記載の表示装置。
【請求項５】
前記装置は、前記記号キャリアを、光を透過させられるように透明にし、その記号キャリア後部に光源を備えたことを特徴とする請求項１に記載の表示装置。
【請求項６】
前記記号キャリアは交換可能なフィルムまたはシート状であることを特徴とする請求項１又は５に記載の表示装置。
【請求項７】
前記駆動手段は表示画像を制御する電池式ＤＣ駆動手段であることを特徴とする請求項１に記載の表示装置。
【請求項８】
前記駆動手段は手動式駆動手段であることを特徴とする請求項１に記載の表示装置。
【請求項９】
前記装置は２つの平衡状態で離間する透過板を備え、前記記号キャリアは前記装置の両面に画像を同時に表示するために記号キャリアの両面に表示可能な記号を備えることを特徴とする請求項１に記載の表示装置。
【発明の詳細な説明】
【０００１】
【発明の属する分野】
本発明は、特に観察者が観察する２つ以上の画像を適宜変化させて表示するための表示装置に係る。
【０００２】
【従来の技術】
従来より２つ以上の画像を表示する表示装置としては、さまざまなタイプの多重画像表示装置が知られている。こうした装置は、広告や指示、意思表示目的で用いられ、ゲームやその他多くの用途に提供されている。これらの装置は通常、回転体を利用するか、ＬＥＤの点光源を利用するか液晶を利用し、表示情報を制御している。しかしながら、このような装置はいずれも、操作にかなりの電力と複雑な制御装置を要し、したがって電気幹線への接続と高価な制御回路が必要で、また大型になるにつれ、非常に高価なものとなる。さらに、こうした装置は、必要な駆動手段やその他の部品が相対的に複雑であるがゆえにかなりの寸法を要する。
【０００３】
また複数の導光板を利用し、２つ以上の画像を表示する装置もあるが、これも導光板の加工が複雑ゆえ容易に表示内容を変更することは困難である。
【０００４】
またいくつかの高解像度画像の連続表示が可能で、電気幹線への接続が不要な、光学原理に基づく単純で、安価な表示装置が提案されている（特開２００１−１２５５２０号公報参照）。この装置によれば、高解像度の画像を変化させて表示することはできる。しかしながらこの装置は光学的原理を利用しているため、見る位置によって観察者が異なった画像情報を認識してしまうことになるため、観察者に対し的確な指示をする目的の表示装置には適さない。
【０００５】
ここで、観察者に対し、的確な指示または意思表示をするための表示装置においては、観察者が見る位置によって異なった画像情報を認識してしまってはならない。また表示装置は観察者に対し効果的な位置に配置できるようにするためには、自己動力型、すなわち、幹線接続が不要の装置でなければならない。
【０００６】
また表示装置に映し出すメッセージは、メッセージを表示させる人が、好みに応じて、容易に交換でき、表示させる操作は簡単でことが望ましく、広告用に使用する表示装置は昼夜問わず、表示に動きがあるものでかつ薄型で、安価なものが望ましい。
【０００７】
【発明が解決しようとする課題】
従って本発明の目的は２つ以上の画像を適宜変化させて表示する事により、昼夜を問わず、外部の注意を十分に惹くことができ、観察者が認識可能であるどの位置から観察しても同じ画像が確認でき、電気幹線への接続が不要で、映し出すメッセージの交換が容易で、薄型で、かつ安価な表示装置を提供することにある。
【０００８】
【課題を解決するための手段】
光の透過部と遮断部を有する平坦な透過板を２つ以上の画像情報を持つ平坦な記号キャリアに対し水平に取付け、透過板と記号キャリアが相対的に変位できるように駆動手段を保持しておく。駆動手段により透過板とキャリアを水平方向に相対的に変位させることにより、２つ以上の画像を適宜変化させて表示する事ことが可能となる。
【０００９】
またキャリアとして画像情報を透明フィルムに印刷したものを用い、そのキャリアの後部に光源を付けることにより、夜も認識可能になる。
【００１０】
また透過板とキャリアを密着して保持することにより、観察者が認識可能であるどの位置から観察しても同じ画像が確認できる。
【００１１】
またキャリアは本体部に対し容易に着脱可能に設けておき、好みに応じて、別の画像情報を持ったキャリアと交換できるようにすることにより、映し出すメッセージが交換できる。
【００１２】
また手動式もしくは電池式ＤＣ駆動手段を備えることにより、コンセント等の電気幹線への接続が不要になる。
【００１３】
またメッセージを変化させるためのトリガーとして、押しボタンスイッチや感知センサーを利用することにより簡単な操作または自動でメッセージを変化させることができる。
【００１４】
また光源としてＥＬシートもしくはＬＥＤと導光板を用いた面発光源等を利用できるため、表示装置全体を薄型にできる。
【００１５】
さらに前記の表示方式は液晶または点光源のＬＥＤ表示装置などよりも安価で外部の注意を十分引く表示装置を提供することができる。
【００１６】
【発明の実施の形態】次に、本発明がより完全に理解されるように、添付の実施形態となる図を参照にして、ある好ましい実施形態に関して本発明を説明していく。ここに説明する実施形態は車両の後部に取り付けるメッセージ表示装置である。特に図面を詳細に参照して、図示されている詳細は一例であり、本発明の好ましい実施形態を図解する目的だけのものであり、発明の原理と概念的な特徴をもっとも効果的に容易に理解できると思われるものを提供するために示すものである。　より具体的な実施例として普段運転中は「ＫＴＣ」という文字が表示され、車線を譲ってもらったときにボタンを押して後ろの人に「ありがとう」と表示する表示装置を説明する。
【００１７】
まずどのようにして透過板２または記号キャリア１を水平方向に変位させることにより、表示させたい画像を選択でき、かつ２つ以上の画像を変化させて表示することが可能となるかの表示原理を説明する。
図１は「ありがとう」の文字を距離ａの間隔で均等にくりぬいた画像情報である。図２は同じく「ＫＴＣ」の文字を図１と同じ位置を均等にくりぬき、距離ａだけ水平に左にずらした画像情報である。図３は図１と図２の２つの画像情報をＡＮＤ演算により画像合成し、印刷されたフィルム又はシート状の記号キャリア１である。ここでフィルムに印刷するインクに蛍光塗料を使用すれば観察者からの認識は高まる。
【００１８】
図４に示された透過板２は図１３の駆動手段３を備えており、この駆動手段により、透過板２を左右に直線的に距離ａだけ移動させることが可能である。この駆動手段は上下左右４方向に移動させるようにすることも可能である。
【００１９】
図７はこの透過板２を拡大表示したものである。ここで透過板２のうち１２は後ろの画像情報が見えるように光を通す透過部であり、１３は後ろの画像情報を隠すために光を通さない材質である遮断部である。透過板２は距離ａの間隔で均等に後ろの画像が見えるように透過部１２を設けている。ここで透過部１２の形は正方形に限らず、均等な間隔で空いていればよい。同時に記号キャリア１もその形状に合わせて画像合成を行う。
【００２０】
図３の記号キャリア１に位置を調整して図４の透過板２を上にして重ねると、遮断部１３の部分の画像情報は見えなくなるため、図５もしくは図６のように合成された画像から「ＫＴＣ」と「ありがとう」の内、どちらかの画像情報だけが表示されることになる。図５「ＫＴＣ」から図６「ありがとう」への変化は図４の透過板を水平方向に距離ａだけずらせばよい。ここで図５は図１と図４の合成画像であり、図６は図２と図４の合成画像である。
【００２１】
図７及び図８，図９はこの原理をより詳細に説明するために、記号キャリア１と透過板２を拡大した図である。図７は距離ａの等間隔で交互にＡとＢの画像情報が合成された記号キャリア１と距離ａの間隔で透過部１２と遮断部１３を交互に配置した透過板２である。図７の記号キャリア１に図７の透過板２を上にして重ねると図８になり、Ａの画像情報だけが表示される。次に図８の状態から透過板２を水平方向左に距離ａだけずらせば、図９になり、Ｂの画像情報だけが表示される。この原理を用いればＡとＢの２つの画像を変化させて表示することが可能となる
【００２２】
図１０はＡ、Ｂ、Ｃ、Ｄの４つの画像を変化させて表示する原理を示す図である。図７に比べ、透過板２の透過部１２を全面積に対し１／４にし、記号キャリア１は距離ａの等間隔で交互にＡＢＣＤの４通りの画像を１枚のシートに合成している。ここで透過板２を記号キャリア１の上に重ね合わせ、透過板を水平に距離ａだけ左→下→右→上→左と移動させることにより、Ａ→Ｂ→Ｃ→Ｄ→Ａの順で４つの異なる画像を変化させて表示することができる。もちろん透過板を１／８、１／１６とし、フィルムの画像をそれに合わせて８パターン、１６パターンと合成していくことによって、更に多くの画像を透過板と一枚のフィルム状の記号キャリア１によって表示することが可能である。また無限のパターンの画像表示が１枚のフィルムによって表示することが可能である。またフィルムを１枚に固定せず２枚、３枚と後ろに重ねることの組み合わせにより、より多くのパターンの画像を表示させることも可能である。
【００２３】
図１１はこの原理を利用し、４つの異なる画像を表示させたものである。この中でくまが立っている画像とくまがおじぎしている画像を連続的に表示すれば、パラパラ漫画もしくはＧＩＦアニメーションのようにくまがおじぎする動画を表現することができる。
【００２４】
図１２は表示装置１１の断面図を示している。透過板２は記号キャリア１に対し水平に取付け、画像情報が認識可能などの位置から観察しても同じ画像が確認できるように密着している。ここで透過板２と記号キャリア１の間が空いてしまうと、正面でない位置から観察者が表示画像を観察している場合、透過板２の遮断部１３の後ろに隠れた画像情報が漏れてしまい、画像がぼやけてしまう。
【００２５】
夜でも画像情報を観察者が認識できるようにするために、記号キャリア１に使用するフィルムを透明にし、フィルムの後部に光源を設ける。例えば光源としては冷陰極管６と導光板５からなる面発光体１０を利用する。フィルムを透明にすることにより、光源の光を前方に透過させることにより、前方の観察者が画像情報を認識することができる。これは液晶のバックライトなどに使われる方式である。ここで使用する光源としては面発光体である有機・無機ＥＬシート、またＬＥＤ、電球、蛍光灯等が使用できる。また薄型の面発光体にする為に導光板を使用する事も考えられる。
【００２６】
記号キャリアはスリット７から記号キャリア１を引っ張り出し、好みに応じて別のデザイン又はメッセージの画像情報を施した記号キャリア１をスリット７に挿入することで、容易に交換可能であってもよい。これなら一般の消費者でも記号キャリア１を交換できる。また写真スタンドのように本体部が開閉して、所定位置に記号キャリア１をセットするような方式であってもよい。
【００２７】
駆動手段３は例えば図１３に示されたスライド機構を利用すれば、手動でａだけ変位させることができ、電源がいらず、かつ観察者が自分で画像を変化させることができる手動式の表示装置になる。
【００２８】
また駆動手段３として、電池等の電力源とモーターとカム、電磁石、ステッピングモーター等を利用すれば、直線運動が得られ、自動式の駆動機構になる。この駆動機構を制御する回路を設ければ、スイッチにより、２つ以上の画像情報から表示する画像を選択することや、２つ以上の画像を連続的に変化させることにより、動きのある画像を表示することが可能となる。これらの駆動機構は電力消費が少ない電池駆動のもの、もしくは電池不要のため、装置を継続して作動させることが可能となり、コンセント等の電気幹線への接続が不要になる。
【００２９】
図１２では、片面のみで画像を表示する装置を示しているが、変化する画像を装置の両面で表示させるためには、装置の他方にも透過板２を設け、記号キャリア１の両面に画像を与え、１０の面発光源を取り除き、２つの透過板と記号キャリアが相対的に変位できるように２つの独立した駆動手段３を設ければよい。駆動手段３は２つの透過板を連結し、同時に同量変位させる機構であってもかまわないし、透過板は固定で、記号キャリアを変位させるような機構であってもかまわない。
【００３０】
図１４は表示装置１１の全体図と２つ以上の画像情報から表示する画像を選択する手段を設けたスイッチの送信機９である。送信機９は運転手が押しやすい所に、例えば押しボタンスイッチを付ける。押しボタンスイッチを押すことにより、駆動手段３を動かす命令信号が無線で本体部４に伝わり、前記の表示原理により「ＫＴＣ」から「ありがとう」に画像情報が変化し、後方の人に「ありがとう」の意思表示ができる。このスイッチは画像を変化させるトリガーになるものであればどのようなスイッチもしくは感知センサーでもかまわない。感知センサーは自動ドアに使用されている赤外線センサーもしくは音声認識センサーなどが代表的な例である。音声を識別できる音声認識装置を採用すれば「ありがとう」、「すみません」等発声することにより後方の人にメッセージを表示することが可能になる。また本体部へのスイッチオン信号の伝達は無線、もしくは有線が考えられる。また例えば４つの押しボタンスイッチと図１０の透過板２と４種類の合成画像を印刷した記号キャリア１を組み合わせることにより４種類の言葉（例えば、「ありがとう」、「すみません」、「お先にどうぞ」「子供が乗っています」等）を選択して、後ろの人に伝えたい時に伝えたいメッセージを表示することが可能である。
【００３１】
図１４に示す表示装置１１には本体部４に、吸盤８を４ヶ所取り付けている。例えばこのように吸盤８をリアガラス面に付着させる方式、マジックテープ（登録商標）等の適宜な手段により、リアシート後方のリアシェルフ上に下面部を固定する方式、取付金具を設け、アームに水平に取り付ける方式等により、着脱が容易に可能な方法で車両に取り付けることができる。
【００３２】
本発明は、先に述べた実施例の詳細に限定されるものではなく、本発明をその概念と必須の特性に逸脱しない範囲でその他の特定の態様で実施してもよいことは、当業者には明らかとなろう。したがって、本実施例はすべての点において例示的であり、限定的ではないとみなすべきであり、本発明の範囲は、先の説明ではなく添付の特許請求の範囲によって示され、よって特許請求の範囲と等価な意味と範囲内での変更はすべて含まれるものとする。
【発明の効果】
【００３３】
以上詳述したように、本発明の表示装置においては、昼夜を問わず、画像表示が可能であり、複数の画像を変化させて表示することにより、画像情報に動きを与え、外部の注意を十分に惹くことができ、画像情報が認識可能であるどの位置から観察しても同じ画像が確認でき、表示内容を容易に変更することができ、電気幹線への接続が不要であり、簡単な動作によってメッセージを表出することができ、表示器の構成も簡易で製造コストも低減されている。特に、画像情報を液晶または点光源のＬＥＤ表示装置、無機ＥＬ・有機ＥＬディスプレイ、プラズマディスプレイ、プロジェクター等の電気的な方法によらずに印刷により表示しているのでさらに構成が簡易で安価となっている。
【図面の簡単な説明】
【図１】画像合成する前の記号キャリアの画像情報例１。
【図２】画像合成する前の記号キャリアの画像情報例２。
【図３】画像情報例１と画像情報例２を合成した、実施形態に関わる変化する画像を表示するための記号キャリアの正面図。
【図４】本発明の実施形態に関わる透過板の正面図
【図５】実施形態に関わる表示装置に表示されるメッセージ例その１
【図６】実施形態に関わる表示装置に表示されるメッセージ例その２
【図７】実施形態に関わる記号キャリアと透過板の拡大図
【図８】実施形態に関わる表示装置に表示されるメッセージ例の拡大図その１
【図９】実施形態に関わる表示装置に表示されるメッセージ例の拡大図その２
【図１０】図７とは別の実施形態に関わる記号キャリアと透過板の拡大図
【図１１】図１０の実施形態により表示される４種類のメッセージ例
【図１２】実施形態に関わる表示装置の断面図
【図１３】手動による駆動手段を示す斜視図
【図１４】実施形態に関わる車両用メッセージ表示装置の斜視図
【符号の説明】
１　記号キャリア
２　透過板
３　駆動手段
４　本体部
５　導光板
６　光源
７　スリット
８　吸盤
９　送信機
１０　面発光体
１１　表示装置
１２　光の透過部
１３　光の遮断部
【図１】
2004012475.tif 000003
【図２】
2004012475.tif 000004
【図３】
2004012475.tif 000005
【図４】
2004012475.tif 000006
【図５】
2004012475.tif 000007
【図６】
2004012475.tif 000008
【図７】
2004012475.tif 000009
【図８】
2004012475.tif 000010
【図９】
2004012475.tif 000011
【図１０】
2004012475.tif 000012
【図１１】
2004012475.tif 000013
【図１２】
2004012475.tif 000014
【図１３】
2004012475.tif 000015
【図１４】
2004012475.tif 000016